(57)【要約】【課題】外部からアームのガード状態を解除することができない安全性に優れたドアガードを提供する。【解決手段】ドア枠Ｗ側に固定される受け具２と、ドアＤの戸先側の内面に固定された台座３に取付けられ、ドアＤの内面に沿わせたガード状態の解除位置と室内側に突出させたガード位置との間を回動できるアーム４とからなるドアガード１において、前記アーム４を回転とその長さ方向への移動が可能となるよう台座３に取付け、前記台座３とアーム４の対向面における一方に突起１６と、他方にこの突起１６が挿入されるガイド孔１７を設け、このガイド孔１７が、アーム４のガード状態の解除位置とガード位置との間の回動を許容する円弧状孔部１７ａと、この円弧状孔部１７ａの一方端部に連なり、ガード位置で突起１６が係脱自在となってアーム４の長さ方向への移動を許容する係止孔部１７ｂとで形成され、前記台座３に、ガード位置のアーム４を室内側に向けて押圧移動する押圧手段１８が設けてある。【選択図】図２
2005248551.tif 000002
【特許請求の範囲】
【請求項１】
ドア枠側に固定される受け具と、ドアの戸先側の内面に固定された台座に取付けられ、ドアの内面に沿わせたガード状態の解除位置と室内側に突出させたガード位置との間を回動できるアームとからなり、このアームに、閉扉状態でガード位置にすると、受け具に対して挿脱する開口部と、前記受け具と係合する幅でこの開口部から連なってアームの先端に長く延び、開扉時に受け具に対してストップ位置までスライドする案内溝を設けたドアガードにおいて、前記アームを回転とその長さ方向への移動が可能となるよう台座に取付け、前記台座とアームの対向面における一方に突起と、他方にこの突起が挿入されるガイド孔を設け、このガイド孔が、アームのガード状態の解除位置とガード位置との間の回動を許容する円弧状孔部と、このガイド孔の一方端部に連なり、ガード位置で突起が係脱自在となってアームの長さ方向への移動を許容する係止孔部とで形成され、前記台座に、ガード位置のアームを室内側に向けて押圧移動させ、前記係止孔部に突起を係合させてアームの回動を不能にする押圧手段を設けたことを特徴とするドアガード。
【請求項２】
上記ガイド孔の係止孔部は、突起を受け止めてアームの解除位置への回動を阻止する側縁を、アームに過度の回転力を加えたときに突起を円弧状孔部に誘導する傾斜縁にしたことを特徴とする請求項１に記載のドアガード。
【請求項３】
ドア枠側に固定される受け具と、ドアの戸先側の内面に固定された台座に取付けられ、ドアの内面に沿わせたガード状態の解除位置と室内側に突出させたガード位置との間を回動できるアームとからなり、このアームに、閉扉状態でガード位置にすると、受け具に対して挿脱する開口部と、前記受け具と係合する幅でこの開口部から連なってアームの先端に長く延び、開扉時に受け具に対してストップ位置までスライドする案内溝を設けたドアガードにおいて、前記アームの長さ方向に沿って配置した補助アームを、前記アームと同方向に回動するよう、その一端側を、前記台座に対してアームの回動中心から離れた位置に枢止し、この補助アームの先端側の途中に係合屈曲部を設け、前記アームの先端部に、アームのガード位置で係合屈曲部が係合し、アームの回動を阻止する係合壁を設け、この係合壁に、前記補助アームの先端側が貫通し、アームに対して補助アームの回動を一定の範囲に規制すると共に、前記係合屈曲部が通過可能な窓孔を設け、上記補助アームに常時係合屈曲部が係合壁に係合する方向の回動弾性を付勢したことを特徴とするドアガード。
【請求項４】
上記台座に複数の取付け孔を設け、少なくとも一つの取付け孔が、ガード位置にしたアームの長さ方向の延長線と重なる位置に配置され、かつ、取付けねじの頭部を沈み込ませる座ぐり孔に形成されていることを特徴とする請求項１乃至３の何れかに記載のドアガード。
【発明の詳細な説明】
【技術分野】
【０００１】
この発明は、ドアの閉扉状態で室外からのドアの開扉を阻止するドアガード、特に室外からのガード状態の解除を防止することができるようにしたドアガードに関する。
【背景技術】
【０００２】
従来、ドアの閉扉状態で室外からのドアの開扉を阻止するドアガードは、ドア枠側に固定される受け具と、ドアの戸先側の内面に固定された台座に取付けられ、ドアの内面に沿わせたガード状態の解除位置と室内側に突出させたガード位置との間を回動できるアームとを有し、このアームに、閉扉状態でガード位置にすると、受け具に対して挿脱する開口部と、前記受け具と係合する幅でこの開口部から連なってアームの先端側に長く延び、開扉時に受け具に対してストップ位置までスライドする案内溝を設けた構造になっている。
【０００３】
上記したドアガードは、アームをドアの内面に沿わせたガード状態の解除位置にすると、
アームと受け具の係合がないため、ドアの開閉は自由に行え、また、ドアの閉扉状態でアームを室内側に突出させたガード位置にすると、開口部が受け具に対して外嵌し、この状態でドアを開くと、ドアと一体に移動するアームの案内溝が受け具に係合しながらスライドし、案内溝の終端ストップ位置が受け具に当接した位置で、ドアのそれ以上の開扉を阻止し、室外からの侵入を阻止することになる（例えば、特許文献１参照）。
【特許文献１】特開２００３−２７８４２７号公報
【発明の開示】
【発明が解決しようとする課題】
【０００４】
ところで、上記のような従来のドアガードは、室外からでもガード状態が解除され、ドアを開いて侵入される危険性がある。
【０００５】
即ち、閉扉にしてアームをガード位置に位置させたガード状態において、ドアを開いて案内溝の終端ストップ位置を受け具に当接させた状態で、例えば、弾性のある板状体を、外部からアームとドア枠の間に差込み、そのままドアを閉めるようにすると、板状体はドアとドア枠の間で挟まれて屈曲し、その屈曲による復元弾性は、アームをガード状態の解除位置に向けて回動する方向に押圧し、ドアが閉じられる直前に案内溝は受け具から外れて開口部がこの受け具に臨むので、アームと受け具の係合が解かれ、前記板状体で押圧弾性が付勢されているアームはガード状態の解除位置に向けて回動し、このため、ガード状態が解除されるので、室外からドアを開扉して進入が可能となるという安全性の面で問題がある。
【０００６】
そこで、この発明の課題は、閉扉にしてアームをガード位置に位置させたガード状態で、外部からのガード状態の解除を防止することができ、安全性に優れたドアガードを提供することにある。
【課題を解決するための手段】
【０００７】
上記のような課題を解決するため、第１の発明は、ドア枠側に固定される受け具と、ドアの戸先側の内面に固定された台座に取付けられ、ドアの内面に沿わせたガード状態の解除位置と室内側に突出させたガード位置との間を回動できるアームとからなり、このアームに、閉扉状態でガード位置にすると、受け具に対して挿脱する開口部と、前記受け具と係合する幅でこの開口部から連なってアームの先端に長く延び、開扉時に受け具に対してストップ位置までスライドする案内溝を設けたドアガードにおいて、前記アームを回転とその長さ方向への移動が可能となるよう台座に取付け、前記台座とアームの対向面における一方に突起と、他方にこの突起が挿入されるガイド孔を設け、このガイド孔が、アームのガード状態の解除位置とガード位置との間の回動を許容する円弧状孔部と、このガイド孔の一方端部に連なり、ガード位置で突起が係脱自在となってアームの長さ方向への移動を許容する係止孔部とで形成され、前記台座に、ガード位置のアームを室内側に向けて押圧移動させ、前記係止孔部に突起を係合させてアームの回動を不能にする押圧手段を設けた構成を採用したものである。
【０００８】
ここで、上記受け具は、取付け座に円軸状のガイド軸を突設し、ガイド軸の先端にこのガイド軸よりも大径の係合ヘッドを設けて形成され、上記アームの案内溝はガイド軸に適合する幅に形成され、開口部は係合ヘッドが通過し得る大きさになっている。
【０００９】
また、上記台座は、前面に上下一対の支持片を突設して形成され、アームは、上下支持片間に収まる一対の対向壁とこれをつなぐ側壁で断面コ字状に形成され、この側壁に案内溝が設けられ、側壁の端部から突出する対向壁間が案内溝と連通する開口部になっている。
【００１０】
上記アームは、上記対向壁の基端部に長さ方向に沿う長孔が設けられ、この長孔を貫通する枢軸で台座の支持片に取付けられ、枢軸を中心とする回動と、長孔の範囲で長さ方向への移動とが可能になっている。
【００１１】
上記押圧手段は、台座において、上記対向壁の基端部と対応する位置に設けた凹部内に、対向壁の基端縁に対する移動可能な当接部材と、この当接部材に対向壁の基端へ圧接する弾性を付与するスプリングとで形成され、アームの回動を許容すると共に、アームはガード位置にしたとき、長さ方向に押されて長孔の範囲だけ室内側に移動して、上記突起が係止孔部に係合し、ガード位置にあるアームの回動を不能にすると共に、アームを長さ方向に沿って室外側に押すと、長孔の範囲だけ室外側に移動して、上記突起が係止孔部から離脱し、解除位置へ向けてのアームの回動が可能になり、このように、ガード位置のアームを解除位置に戻すのに、アームの長さ方向への押し込みと、この押し込みを維持したまま回動させる二つの動作を必要とするようになっている。
【００１２】
第２の発明は、第１の発明において、上記ガイド孔の係止孔部は、突起を受け止めてアームの解除位置への回動を阻止する側縁を、アームに過度の回転力を加えたときに突起を円弧状孔部に誘導する傾斜縁にした構成を採用したものである。
【００１３】
第３の発明は、ドア枠側に固定される受け具と、ドアの戸先側の内面に固定された台座に取付けられ、ドアの内面に沿わせたガード状態の解除位置と室内側に突出させたガード位置との間を回動できるアームとからなり、このアームに、閉扉状態でガード位置にすると、受け具に対して挿脱する開口部と、前記受け具と係合する幅でこの開口部から連なってアームの先端に長く延び、開扉時に受け具に対してストップ位置までスライドする案内溝を設けたドアガードにおいて、前記アームの長さ方向に沿って配置した補助アームを、前記アームと同方向に回動するよう、その一端側を、前記台座に対してアームの回動中心から離れた位置に枢止し、この補助アームの先端側の途中に係合屈曲部を設け、前記アームの先端部に、アームのガード位置で係合屈曲部が係合し、アームの回動を阻止する係合壁を設け、この係合壁に、前記補助アームの先端側が貫通し、アームに対して補助アームの回動を一定の範囲に規制すると共に、前記係合屈曲部が通過可能な窓孔を設け、上記補助アームに常時係合屈曲部が係合壁に係合する方向の回動弾性を付勢した構成を採用したものである。
【００１４】
上記補助アームは、一本の金属線材を用い、上下平行杆の先端を接続杆で結合して長いコ字状に形成され、上下平行杆の基端を相反する外側に屈曲させて台座に設けた取付け孔に、アームと同方向に回動自在となるよう枢止し、上下平行杆の先端側に設けた係合屈曲部は、先端側に対してアームの側壁と反対側へ直角に折れ曲がる係合片と、この係合片の先端からアームの側壁に向けて接近する傾斜片とを折り曲げることによって形成されている。
【００１５】
上記アームをガード位置にすると、補助アームに設けた係合屈曲部は係合壁の内側に位置し、アームと補助アームは回動時の支点の位置が異なるので、アームを解除位置側に回動させようとすると、係合壁が係合屈曲部に係合することでアームの回動を阻止し、アームのガード位置を保持することになる。
【００１６】
また、アームを解除位置にする場合は、補助アームの先端部を指先でアームの側壁側に摘んで移動させ、補助アームの係合屈曲部を窓孔に臨ませた状態でアームを解除方向に回動させればよく、補助アームはアームと一体に回動し、この回動時に補助アームはアームと回動時の支点の位置が異なるので、アームに対して長さ方向の位相差が生じ、係合屈曲部の係合片が窓孔を通過してアームの先端側に移動することで、アームの回動を許容することになる。
【００１７】
また、補助アームに常時係合屈曲部が係合壁に係合する方向の回動弾性を付勢する手段は、台座に設けた両側取り付け片の対向面で取付け孔の周囲を互いに逆傾斜の傾斜面とし、補助アームの上下平行杆の基端側を幅方向に押し縮めた状態で取付け孔に枢止することで、上下平行杆に拡開する弾性を蓄積させ、この傾斜面と基端側の拡開弾性の作用で、補助アームに係合屈曲部が係合壁に係合する方向の回動を生じさせるようになっている。
【００１８】
また、回動弾性を付勢する他の手段としては、補助アームとアームの間にばねを縮設した構造とすることができる。
【００１９】
第４の発明は、第１乃至第３の発明において、上記台座に複数の取付け孔を設け、少なくとも一つの取付け孔が、ガード位置にしたアームの長さ方向の延長線と重なる位置に配置され、かつ、取付けねじの頭部を沈み込ませる座ぐり孔に形成されている構成を採用したものである。
【発明の効果】
【００２０】
第１の発明によると、アームをガード位置にすると、突起が係止孔部に係合してアームの回動が不能になり、ガード位置のアームを解除位置に戻すには、アームの長さ方向への押し込みと、この押し込みを維持したまま回動させる二つの動作を必要とするので、ガード状態において、従来のように、ドアを少し開いて室外側から板状体を差し込んでドアを閉めても、アームは回動することがなく、従って、室外側からアームを解除位置に戻すことができず、侵入者を確実に防ぐことのできる安全性の優れたものとなる。
【００２１】
また、第２の発明によると、ガイド孔の係止孔部で突起を受け止めてアームの解除位置への回動を阻止する側縁を傾斜縁にしたので、ガード位置にあるアームに解除位置に向けての過度の回転力を加えたときに、突起と係止孔部との係合を解いて突起を円弧状孔部に誘導するので、過度の力を加えることによって突起や係止孔部が破損するというようなことがなく、耐久性を向上させることができる。
【００２２】
第３の発明によると、アームの長さ方向に沿って配置した補助アームの先端側の途中に係合屈曲部を設け、前記アームの先端部に、アームのガード位置で係合屈曲部が係合してアームの回動を阻止する係合壁を設け、この係合壁に、前記補助アームの先端側が貫通し、アームに対して補助アームの回動を一定の範囲に規制すると共に、前記係合屈曲部が通過可能な窓孔を設け、上記補助アームに常時係合屈曲部が係合壁に係合する方向の回動弾性を付勢したので、アームをガード位置にすると、係合屈曲部と係合壁が係合してアームの回動が不能になり、ガード位置のアームを解除位置に戻すには、補助アームの係合屈曲部を係合壁から離反させる動作と、アームを回動させる二つの動作を必要とするので、ガード状態において、従来のように、ドアを少し開いて室外側から板状対を差し込んでドアを閉めても、アームは回動することがなく、従って、室外側からアームを解除位置に戻すことができず、侵入者を確実に防ぐことのできる安全性の優れたものとなる。
【００２３】
更に、第４の発明によると、台座に設けた少なくとも一つの取付け孔を、ガード位置にしたアームの長さ方向の延長線と重なる位置に配置し、かつ、取付けねじの頭部を沈み込ませる座ぐり孔に形成したので、アームがガード位置にある状態で、ドアを開いてドア枠との隙間から台座の取付けねじをドライバーで外そうとしても、取付け孔にねじ込んだねじの頭部側軸方向にアームが位置することになり、従って、アームが邪魔になってねじの取外しができないことになり、しかも、ねじの頭部は座ぐり孔の底に沈んでいるので、ドライバーの挿入が一段と困難になり、台座の取外しが不能となることによって、安全性の向上が図れることになる。
【発明を実施するための最良の形態】
【００２４】
ドア枠側に固定される受け具と、ドアの戸先側の内面に固定された台座と、それに取付けられたアームとからなり、アームを回転とその長さ方向への移動が可能となるよう台座に取付け、前記台座とアームの対向面における一方に突起と、他方にこの突起が挿入されるガイド孔を設け、このガイド孔にアームのガード位置で突起が係脱自在となってアームの長さ方向への移動を許容する係止孔部を設け、前記台座に、ガード位置のアームを室内側に向けて押圧移動させ、前記係止孔部に突起を係合させてアームの回動を不能にする押圧手段を設ける。
【実施例１】
【００２５】
図１乃至図６のように、第１実施例のドアガード１は、ドア枠Ｗ側に固定される受け具２と、ドアＤの戸先側の内面に固定される台座３と、この台座３に取付けられ、ドアＤの内面に沿わせたガード状態の解除位置と室内側に突出させたガード位置との間を回動できるアーム４とからなり、前記受け具２は、ドア枠Ｗにビスで固定する取付け座５に円軸状のガイド軸６を突設し、ガイド軸６の先端にこのガイド軸６よりも大径の係合ヘッド７を設けて形成されている。
【００２６】
上記台座３は、ドアＤに対する複数の取付け孔８が設けられた上下に長い板状となり、その前面に上下一対の支持片９を対向状に突設して形成されている。
【００２７】
上記台座３に取付けるアーム４は、上下支持片９間に収まる一対の対向壁１０とこれをつなぐ側壁１１で断面コ字状に形成され、このアーム４には、閉扉状態でガード位置にすると、受け具２に対して挿脱する開口部１２と、この開口部１２から連なってアーム４の先端に長く延び、開扉時に受け具２に対してストップ位置までスライドする案内溝１３が設けられている。
【００２８】
この案内溝１３は、上記側壁１１の長さ方向に沿って設けられ、側壁１１の基端部から突出する対向壁１０間が案内溝１３と連通する開口部１２になり、上記案内溝１３はガイド軸６に適合して係合ヘッド７の外径よりも狭い幅に形成され、開口部１２は係合ヘッド７が通過し得る大きさになっている。
【００２９】
図１乃至図４において、上記台座３に対するアーム４の取付け構造は、アーム４における対向壁１０の基端部に長さ方向に沿う長孔１４が設けられ、この長孔１４を貫通する枢軸１５で台座３の支持片９に取付けられ、台座３に対してアーム４は、枢軸１５を中心とする回動と、長孔１４の範囲で長さ方向への移動とが可能になっている。
【００３０】
前記台座３の支持片９とアーム４の対向面において、アーム４の枢軸１５から長さ方向に沿って少し先端側に寄った位置に角型の突起１６が設けられ、支持片９にこの突起１６が挿入されるガイド孔１７を設け、このガイド孔１７が、アーム４のガード状態の解除位置とガード位置との間の回動を許容するよう、枢軸１５と同軸心となるよう形成した円弧状孔部１７ａと、この円弧状孔部１７ａの一方端部に外径方向に屈曲するよう連なり、アーム４をガード位置にした状態で突起１６が係脱自在となってアーム４の長さ方向への移動を許容する係止孔部１７ｂとで形成され、前記台座３には、ガード位置のアーム４を室内側に向けて押圧移動させ、前記係止孔部１７ｂに突起１６を係合させてアーム４の回動を不能にする押圧手段１８が設けられている。
【００３１】
上記ガイド孔１７の係止孔部１７ｂは、突起１６を受け止めてアーム４の解除位置への回動を阻止する側縁を、アーム４に過度の回転力を加えたときに突起１６を円弧状孔部１７ａに誘導する傾斜縁１７ｃに形成され、過度の回転力による突起１６や係止孔部１７ｂの破損発生を防ぎ、耐久性を向上させることができるようにしている。
【００３２】
上記突起１６とガイド孔１７は、図７に示すように、アーム４の対向壁１０にガイド孔１７を形成し、台座３の支持片９に固定配置となる突起１６を設け、アーム４と共にガイド孔１７が回動するようにしてもよい。
【００３３】
上記押圧手段１８は、図５と図６のように、台座３において、上記対向壁１０の基端部と対応する位置に設けた凹部１９内に、対向壁１０の基端縁に対する移動可能な当接部材２０と、この当接部材２０に対向壁１０の基端へ圧接するよう弾性を付与するよう縮設したスプリング２１とで形成され、対向壁１０の基端縁を押圧する状態でアーム４の回動を許容すると共に、アーム４をガード位置にしたとき、長さ方向に押されて長孔１４の範囲だけ室内側に移動して、上記突起１６が係止孔部１７ｂに係合し、ガード位置にあるアーム４の回動を不能にするようになっている。
【００３４】
図５のように、当接部材２０の前面に凹部２２を設け、アーム４の対向壁１０において、その基端部で当接部材２０と接触する外周縁に、ガード位置又は解除位置にしたとき、前記凹部２２に嵌る小突起２３を設け、アーム４のガード位置及び解除位置の位相を弾力的に安定よく保持するようにしている。
【００３５】
また、図８は、台座３に対するアーム４の取付けにおいて、アーム４の回動とガード位置での長さ方向の移動及び回転止めを行う他の構造を示し、台座３の支持片９に円軸の両面をカットした取付け軸２４を、カット面がガード位置にあるアーム４の長さ方向に沿う配置となるよう固定し、アーム４における対向壁１０の基端部に、前記取付け軸２４に外嵌適合する円形の取付け孔２５と、この取付け孔２５の周囲に取付け軸２４のカット面間が嵌り込む係止孔部１７ｂを設け、アーム４を台座３の取付け軸２４に取付け孔２５で回転可能に取付け、アーム４をガード位置にしたとき、係止孔部１７ｂが取付け軸２４に嵌り込むことで、アーム４の回り止め状態を得るようになっている。
【００３６】
第１の実施例のドアガード１は上記のような構成であり、ドア枠Ｗに受け具２を固定し、この受け具２に対応する高さ位置でドアＤの室内面で戸先側に台座３を取付け孔８に挿通したビスで固定し、図１と図２は、アーム４をドアＤの面に沿うようガードの解除位置にした状態を示し、アーム４は受け具２から離反し、ドアＤの開閉操作が自由に行えることになる。
【００３７】
ドアＤを閉じた状態で、上記解除位置にあるアーム４をガード位置にするには、このアーム４を室内側へ略９０度回動させればよく、図３のように、アーム４は枢軸１５を支点に回動し、このアーム４に設けた突起１６がガイド孔１７の円弧状孔部１７ａ内を移動し、アーム４が室内側に突出した位相になると、このアーム４に設けた開口部１２が受け具２の係合ヘッド７に外嵌し、これと同時に突起１６が係止孔部１７ｂに臨み、押圧手段１８で長さ方向に押されているアーム４は、長孔１４の範囲だけ室内側に移動することによって突起１６が係止孔部１７ｂ内に係合し、これによってアーム４は回動不能の状態が保持されることになる。
【００３８】
アーム４がガード位置にある状態でドアＤを開くと、ドアＤと一体に移動するアーム４は、案内溝１３が受け具２のガイド軸６に外嵌し、係合ヘッド７に係合しながらスライドし、案内溝１３の終端ストップ位置が受け具２に当接した位置で、ドアＤのそれ以上の開扉を阻止し、室外からの侵入を阻止することになる。
【００３９】
ここで、従来のように、アーム４がガード位置にある状態でドアＤを開き、図４のように、室外側から板状体Ａを差し込んでドアＤを閉めても、板状体Ａの弾性で押されたアーム４は回動することがなく、従って、室外側からアーム４を解除位置に戻すことができず、侵入者を確実に防ぐことができる。
【００４０】
また、ガード位置にあるアーム４を解除位置に戻す場合は、ドアＤを閉じた状態で、開口部１２が受け具２に臨んでおり、先ず、アーム４を長さ方向に沿って長孔１４の範囲だけ室外側に押すようにし、次に、この押した状態で解除側に回動させるようにする。
【００４１】
アーム４を長さ方向に沿って室外側に押すと、長孔１４の範囲だけ室外側に移動して、アーム４に設けた突起１６が係止孔部１７ｂから離脱し、この時点で解除位置へ向けてのアーム４の回動が可能になり、このように、ガード位置のアーム４を解除位置に戻すのに、アーム４の長さ方向への押し込みと、この押し込みを維持したまま回動させる二つの動作を必要とすることになる。
【実施例２】
【００４２】
図９乃至図１３は、第２実施例のドアガードを示している。なお、第１実施例と同一部分には同一符号を使用する。
【００４３】
この第２実施例のドアガード１ａは、ドア枠Ｗ側に固定される受け具２と、ドアＤの戸先側の内面に固定される台座３と、この台座３に取付けられ、ドアＤの内面に沿わせたガード状態の解除位置と室内側に突出させたガード位置との間を回動できるアーム４と、このアーム４と同方向に回動自在となるよう台座３に取付けられ、アーム４の長さ方向に沿って配置した補助アーム３１とからなり、前記受け具２は、第１の実施例と同様の構造を有している。
【００４４】
上記台座は、ドアＤに対する複数の取付け孔８が設けられた上下に長い板状となり、その前面に上下一対の支持片９を突設して形成され、この台座３に取付けるアーム４は、上下支持片９間に収まる一対の対向壁１０とこれをつなぐ側壁１１で断面コ字状に形成され、このアーム４には、閉扉状態でガード位置にすると、受け具２に対して挿脱する開口部１２と、前記受け具２と係合する幅でこの開口部１２から連なってアーム４の先端に長く延び、開扉時に受け具２に対してストップ位置までスライドする案内溝１３が設けられている。
【００４５】
上記台座３に対するアーム４の取付け構造は、アーム４における対向壁１０の基端部を枢軸３２で台座３の支持片９に取付けられ、アーム４は、枢軸３２を中心とする回動が可能になっている。
【００４６】
上記補助アーム３１は、アーム４と同方向に回動するよう、その基端側を、上記台座３に対してアーム４の回動中心からドアＤの吊元側に片寄った位置に枢止し、この補助アーム３１の先端側の途中に係合屈曲部３３を設け、前記アーム４の先端部に、アーム４のガード位置で係合屈曲部３３が係合し、アーム４の回動を阻止する係合壁３４を設け、この係合壁３４に、前記補助アーム３１の先端側が貫通し、アーム４に対して補助アーム３１の回動を一定の範囲に規制すると共に、前記係合屈曲部３３が通過可能な窓孔３５を設け、上記補助アーム３１に常時係合屈曲部３３が係合壁３４に係合する方向の回動弾性を付勢している。
【００４７】
この補助アーム３１は、一本の金属線材を用い、上下平行杆３６の先端を操作片となる接続杆３７で結合して長いコ字状に形成され、上下平行杆３６の基端を相反する外側に屈曲させ、この基端屈曲部３８を台座３の両側に設けた取付け片３９の取付け孔４０に、アーム４と同方向に回動自在となるよう枢止し、上下平行杆３６の先端側に設けた係合屈曲部３３は、先端側に対してアーム４の側壁１１と反対側へ直角に折れ曲がる係合片３３ａと、この係合片３３ａの先端からアーム４の側壁１１に向けて接近する傾斜片３３ｂで形成されている。
【００４８】
上記補助アーム３１に常時係合屈曲部３３が係合壁３４に係合する方向の回動弾性を付勢する手段は、台座３に設けた両側取り付け片３９の対向面で取付け孔４０の周囲を互いに逆傾斜の傾斜面とし、補助アーム３１の上下平行杆３６の基端側を幅方向に押し縮めた状態で基端屈曲部３８を取付け孔４０に枢止することで、上下平行杆３６に拡開する弾性を蓄積させ、この傾斜面と基端側の拡開弾性の作用で、補助アーム３１に係合屈曲部３３が係合壁３４に係合する方向の回動を生じさせるようにしている。
【００４９】
図１３は、補助アーム３１に常時係合屈曲部３３が係合壁３４に係合する方向の回動弾性を付勢する他の手段を示し、アーム４の側壁１１と補助アーム３１の間に補助アーム３１を押すためのスプリング４１を縮設している。
【００５０】
第２の実施例のドアガード１ａは上記のような構成であり、ドア枠Ｗに受け具２を固定し、この受け具２に対応する高さ位置でドアＤの室内面で戸先側に台座３を固定し、図９と図１０は、アーム３をドアＤの面に沿うようガードの解除位置にした状態を示し、アーム４は受け具２から離反し、ドアＤの開閉操作が自由に行えることになる。
【００５１】
上記解除位置にした状態で、補助アーム３１は、係合屈曲部３３の係合片３３ａが係合壁３４に対し、窓孔３５を通過してアーム４の先端側に位置し、傾斜片３３ｂが窓孔３５の周縁に当接している。
【００５２】
この状態から、ドアを閉じて上記アーム４をガード位置に回動させると、図１１のように、この回動時に補助アーム３１はアーム４と回動時の支点の位置が異なるので、アーム４に対して長さ方向の位相差が生じ、補助アーム３１に設けた係合屈曲部３３の係合片３３ａは窓孔３５を通過して係合壁３４の内側に移動し、係合片３３ａが係合壁３４に対して係合可能な状態になる。
【００５３】
アーム４をガード位置にした状態でドアＤを開放すると、ドアＤと一体に移動するアーム４は、案内溝１３が受け具２のガイド軸６に外嵌し、係合ヘッド７に係合しながらスライドし、案内溝１３の終端ストップ位置が受け具２に当接した位置で、ドアＤのそれ以上の開扉を阻止し、室外からの侵入を阻止することになる。
【００５４】
ガード位置にあるアーム４を解除位置側に回動させようとすると、図１２のように、係合壁３４が係合屈曲部３３の係合片３３ａに係合することでアーム４の回動を阻止し、アーム４のガード位置を保持することになる。
【００５５】
ここで、従来のように、アーム４がガード位置にある状態でドアＤを開き、図１２のように、室外側から板状体Ａを差し込んでドアＤを閉めても、係合壁３４が係合片３３ａに係合しているので、板状体Ａの弾性で押されてもアーム４は回動することがなく、従って、室外側からアーム４を解除位置に戻すことができず、侵入者を確実に防ぐことができる。
【００５６】
また、アーム４を解除位置にする場合は、補助アーム３１の先端部を指先でアーム４の側壁１１側に摘んで移動させ、補助アーム３１の係合屈曲部３３を窓孔３５に臨ませた状態でアーム４を解除方向に回動させればよく、補助アーム３１はアーム４と一体に回動し、この回動時に補助アーム３１はアーム４と回動時の支点の位置が異なるので、アーム４に対して長さ方向の位相差が生じ、係合屈曲部３３の係合片３３ａが窓孔３５を通過してアーム４の先端側に移動することで、アーム４の回動を許容することになる。
【００５７】
この第２の実施例において、上記台座３に複数の取付け孔８を設け、少なくとも一つの取付け孔８を、ガード位置にしたアーム４の長さ方向の延長線と重なる位置に配置し、かつ、取付けねじ４２の頭部を沈み込ませる座ぐり孔に形成している。
【００５８】
上記のような取付け孔８の構造を採用すると、アーム４がガード位置にある状態で、ドアＤを開いてドア枠Ｗとの隙間から台座３の取付けねじ４２をドライバーで外そうとしても、取付け孔８にねじ込んだ取付けねじ４２の頭部側軸方向にアーム４が位置することになり、従って、アーム４が邪魔になって取付けねじ４２の取外しができないことになる。
【００５９】
また、取付けねじ４２の頭部は座ぐり孔の底に沈んでいるので、ドライバーの挿入が一段と困難になり、室外から台座３の取外しが不能となることによって、安全性の向上が図れることになる。
【００６０】
このような取付け孔８の構造は、上述した第１の実施例の台座３にも当然適用することができる。
【図面の簡単な説明】
【００６１】
【図１】第１の実施例のドアガードを示すアームが解除位置にあるときの正面図
【図２】同上の横断平面図
【図３】第１の実施例のドアガードを示すアームがガード位置にあるときの横断平面図
【図４】第１の実施例のドアガードを示すアームがガード位置にあってドアを開いたときの横断平面図
【図５】台座に対するアームの取付け構造を示す拡大した横断平面図
【図６】同上の要部を切り欠いた側面図
【図７】（Ａ）は台座とアームに設けるガイド孔と突起の他の例を示すアームが解除位置にあるときの拡大した横断平面図、（Ｂ）は同アームがガード位置にあるときの拡大した横断平面図
【図８】（Ａ）は台座に対するアームの取付け構造の他の例を示すアームが解除位置にあるときの拡大した横断平面図、（Ｂ）は同アームがガード位置にあるときの拡大した横断平面図
【図９】第２の実施例のドアガードを示すアームが解除位置にあるときの正面図
【図１０】同上の横断平面図
【図１１】第２の実施例のドアガードを示すアームがガード位置にあるときの横断平面図
【図１２】第２の実施例のドアガードを示すアームがガード位置にあってドアを開いたときの横断平面図
【図１３】補助アームに対する弾性付与手段の他の例を示すアームが解除位置にあるときの横断平面図
【符号の説明】
【００６２】
１、１ａ        ドアガード
２        受け具
３        台座
４        アーム
５        取付け座
６        ガイド軸
７        係合ヘッド
８        取付け孔
９        支持片
１０      対向壁
１１      側壁
１２      開口部
１３      案内溝
１４      長孔
１５      枢軸
１６      突起
１７      ガイド孔
１８      押圧手段
１９      凹部
２０      当接部材
２１      スプリング
２２      凹部
２３      小突起
２４      取付け軸
２５      取付け孔
３１      補助アーム
３２      枢軸
３３      係合屈曲部
３４      係合壁
３５      窓孔
３６      上下平行杆
３７      接続杆
３８      基端屈曲部
３９      取り付け片
４０      取付け孔
４１      スプリング
４２      取付けねじ
【図１】
2005248551.tif 000003
【図２】
2005248551.tif 000004
【図３】
2005248551.tif 000005
【図４】
2005248551.tif 000006
【図５】
2005248551.tif 000007
【図６】
2005248551.tif 000008
【図７】
2005248551.tif 000009
【図８】
2005248551.tif 000010
【図９】
2005248551.tif 000011
【図１０】
2005248551.tif 000012
【図１１】
2005248551.tif 000013
【図１２】
2005248551.tif 000014
【図１３】
2005248551.tif 000015